(57)【要約】【課題】  遊技の興趣を向上させながら、表示装置から発生する熱による弾球遊技機の故障を防止することができるとともに、電飾用の発光部により演出効果を向上しつつ、表示装置の表示を遊技者が視認しにくくなる事態を防止する。【解決手段】  弾球遊技機１は、少なくとも一部が透明な部材で形成された遊技板３２と、遊技板３２の裏面側に配設され、所定の画像を表示可能な表示装置７０とを有する。そして、遊技板３２と表示装置７０との間には、スペーサ１１０が設けられている。スペーサ１１０には、電飾用の発光部材１３１が、当該発光部材１３１からの光を遊技者が視認可能な位置に、設けられている。【選択図】       図９
2005131322.tif 000002
【特許請求の範囲】
【請求項１】
少なくとも一部が透明な部材で形成された遊技板から構成される遊技盤と、前記遊技板の裏面側に配設され、所定の画像を表示可能な表示装置とを有する弾球遊技機であって、
前記遊技板と前記表示装置との間には、スペーサが設けられており、
前記スペーサには、電飾用の発光部材が、当該発光部材からの光を遊技者が視認可能な位置に、設けられていることを特徴とする弾球遊技機。
【請求項２】
前記スペーサには、前記発光部材の前面側であって、正面側から見て前記発光部材と重なる位置に、前記発光部材からの光を拡散する電飾用レンズ部材が配設されていることを特徴とする請求項１に記載の弾球遊技機。
【請求項３】
複数の前記発光部材が配設された発光基板を有し、
前記スペーサには、前記発光基板が前記スペーサの裏面における所定位置に取り付けられたときに、前記正面側から見て各発光部材と重なる位置に開口部が設けられており、
前記電飾レンズ部材は、前記スペーサの前面側から、正面側から見て前記複数の発光部材と重なる位置に取り付けられることを特徴とする請求項２に記載の弾球遊技機。
【請求項４】
前記スペーサの所定位置には、係止部が設けられており、前記電飾レンズ部材の所定位置には、前記係止部に係止させるための係止片が設けられていることを特徴とする請求項３に記載の弾球遊技機。
【発明の詳細な説明】
【技術分野】
【０００１】
本発明は、パチンコ遊技機等の弾球遊技機に関する。
【背景技術】
【０００２】
従来より、透明な部材で形成された遊技盤が設けられた弾球遊技機がある。この弾球遊技機においては、遊技盤の透明部分の裏面側に、画像などを表示する表示装置が設けられている。このような弾球遊技機によれば、遊技者は、遊技球の動きを視認しながら、遊技盤を介して表示装置の表示内容を視認することができるので、遊技の興趣を向上させることができる（例えば、特許文献１参照）。
【０００３】
また、一般的な弾球遊技機では、遊技盤上に、電飾用の発光モジュール（例えば、ランプモジュールなど）が設けられている。遊技中において、発光モジュールの発光を適当なタイミングで行うことにより、遊技の盛り上げが行われていた。
【特許文献１】特開２００３−１９９９４３号公報
【発明の開示】
【発明が解決しようとする課題】
【０００４】
しかしながら、上述した従来技術では、以下のような問題があった。上記弾球遊技機においては、透明部材で形成された遊技板（遊技盤を構成する部材）の裏面側に、隙間なく表示装置を配置している。このため、表示装置の動作に伴って発生する熱がそのまま遊技板に設置された各種部品（例えば、弾球遊技機の動作に関係する部品など）などに伝わってしまうので、各種部品などに多量の熱が伝えられる場合には、弾球遊技機が故障してしまうという問題があった。
【０００５】
また、遊技板を透明な部材で形成した場合、遊技板に設けられた電飾用の発光モジュールと、表示装置の表示とが重なってしまう場合があり、遊技者が表示装置の表示を視認しにくくなってしまう場合がある。
【０００６】
本発明は、以上のような問題点に鑑みてなされたものであり、少なくとも一部が透明な部材で形成された遊技板の裏面側に、表示装置を配置することにより、遊技の興趣を向上させながら、表示装置から発生する熱による弾球遊技機の故障を防止することができるとともに、電飾用の発光部により演出効果を向上しつつ、表示装置の表示を遊技者が視認しにくくなる事態を防止することができる弾球遊技機を提供することを目的とする。
【課題を解決するための手段】
【０００７】
以上の問題点を解決するために、本発明の弾球遊技機は、少なくとも一部が透明な部材で形成された遊技板（例えば、遊技板３２）から構成される遊技盤（遊技盤３０）と、前記遊技板の裏面側に配設され、所定の画像を表示可能な表示装置（例えば、液晶ディスプレイ部７０）とを有する弾球遊技機であって、前記遊技板と前記表示装置との間には、スペーサ（例えば、スペーサ１１０）が設けられており、前記スペーサには、電飾用の発光部材（例えば、発光部材１３１）が、当該発光部材からの光を遊技者が視認可能な位置に、設けられていることを特徴とするものである。
【０００８】
本発明の弾球遊技機によれば、遊技板と表示装置との間に、スペーサが設けられているので、遊技板と、表示装置との間の間隔を所定距離に保つことができる。このため、表示装置の動作に伴って発生する熱が多量に遊技板に設置された各種部品（例えば、弾球遊技機の動作に関係する部品など）などに伝わってしまう事態が防止されるので、表示装置から発生する熱による弾球遊技機の故障を防止することができる。
【０００９】
この結果、本発明の弾球遊技機によれば、少なくとも一部が透明な部材で形成された遊技板の裏面側に、表示装置を配置することにより、遊技の興趣を向上させるとともに、表示装置から発生する熱による弾球遊技機の故障を防止することができる。
【００１０】
また、遊技板と、表示装置との間隔が存在するので、遊技者には、表示装置の表示が遊技盤（又は遊技板）に対して奥行きがあるように感じられ、演出効果の向上が図られる。また、遊技者は、表示装置の表示に対して、遊技盤の遊技領域に投入された遊技球が宙に浮いているように感じ、視覚的演出効果の向上が期待できる。
【００１１】
遊技板と表示装置との間隔が存在しないと、例えば、遊技者は、発射レールより外側に位置する表示領域を視認できなかったが、本発明では、遊技板と表示装置との間隔が所定距離にされるので、遊技者は、従来視認できなかった表示領域を視認でき、演出効果の向上が一層図られる。
【００１２】
また、本発明によれば、スペーサには、電飾用の発光部材が、当該発光部材からの光を遊技者が視認可能な位置に、設けられている。このため、正面側から見て、発光部材は、表示装置の表示面（例えば、液晶ディスプレイ部７０の液晶部７０ａ）と重なる位置に設けられていないので、遊技板が透明な部材で形成されても、遊技者が、発光部材の存在により、表示装置の表示を視認しにくくなる事態が回避される。
【００１３】
また、発光部材に取り付けられる配線が視認できてしまうと、遊技者は、弾球遊技機の外観を美しくないと感じるようになる。本発明では、発光部材に取り付けられる配線をスペーサ内に設けることが可能になるので、遊技板が透明な部材で形成されても、遊技者が、上記遊技板で構成された遊技盤を介して、発光部材に取り付けられる配線を視認できてしまう事態が回避される。
【００１４】
また、発光部材は、遊技盤から独立して設けられるので、遊技盤を交換する際に、発光部材と独立して、遊技盤だけを交換することができる。このため、遊技盤を交換する際に、正常な発光部材を交換する必要がないので、遊技盤だけの交換に必要なコストを低減させることができる。また、本発明では、発光部材に取り付けられる配線をスペーサ内に設けることが可能になるので、遊技盤の交換の際に、上記配線に関する配置作業などのような面倒な作業を行わなくて済むので、作業コストや作業時間の低減化が図れる。
【００１５】
また、上記発明において、前記スペーサには、前記発光部材の前面側であって、正面側から見て前記発光部材と重なる位置に、前記発光部材からの光を拡散する電飾用レンズ部材（例えば、電飾用レンズ部材１４０）が配設されていることを特徴とするものである。
【００１６】
また、発光部材の形状が特定できてしまうと、遊技者は、弾球遊技機の外観を美しくないと感じるようになる。本発明の弾球遊技機によれば、遊技板が透明な部材で形成されても、遊技者が、遊技板で構成された遊技盤を介して、発光部材の形状を特定することができないので、遊技者は、弾球遊技機の外観を美しいと感じるようになり、弾球遊技機の外観における美観を向上させることが可能となる。
【００１７】
また、上記発明において、複数の前記発光部材が配設された発光基板（例えば、発光基板１３０）を有し、前記スペーサには、前記発光基板が前記スペーサの裏面における所定位置に取り付けられたときに、前記正面側から見て各発光部材と重なる位置に開口部（例えば、開口部１３１）が設けられており、前記電飾レンズ部材は、前記スペーサの前面側から、正面側から見て前記複数の発光部材と重なる位置に取り付けられることが好ましい。
【００１８】
この場合には、発光部材の交換の場合には、発光基板をスペーサの裏面から取り外せばよいので、発光部材の交換が容易になる。また、発光部材の交換の場合には、発光基板だけをスペーサの裏面から取り外すことができ、電飾用レンズ部材の交換の場合には、電飾用レンズ部材だけをスペーサの前面から取り外すことができるので、発光部材又は電飾用レンズ部材の交換の場合に、発光基板及び電飾用レンズ部材をスペーサから取り外す必要がないので、発光部材や電飾用レンズ部材の交換が容易に行え、上記交換に必要なコストや時間を低減させることができる。
【００１９】
また、上記発明において、前記スペーサの所定位置には、係止部（例えば、係止孔１１０ａ，１１０ｂ）が設けられており、前記電飾レンズ部材の所定位置には、前記係止部に係止させるための係止片（例えば、１４０ａ，１４０ｂ）が設けられていることが好ましい。
【００２０】
この場合には、電飾用レンズ部材をスペーサに取り付けるための取り付け部品（例えば、ネジなど）が不要であり、弾球遊技機の製造に要するコストの低減化が可能である。
【発明の効果】
【００２１】
本発明によれば、少なくとも一部が透明な部材で形成された遊技板の裏面側に、表示装置を配置することにより、遊技の興趣を向上させながら、表示装置から発生する熱による弾球遊技機の故障を防止することができるとともに、電飾用の発光部により演出効果を向上しつつ、表示装置の表示を遊技者が視認しにくくなる事態を防止することができる。
【発明を実施するための最良の形態】
【００２２】
本実施形態における弾球遊技機１の構成について、図面を参照しながら説明する。図１は、本実施形態における弾球遊技機１の全体を示す斜視図であり、図２は、上記弾球遊技機１を構成する各部を分解した様子を示す分解説明図である。図３は、正面から見た場合の遊技盤３０の外観図である。図４は、裏面側から見た場合の遊技盤３０の外観を示す図である。図５は、液晶ディスプレイ部７０がベースドア６０に取り付けられた状態を示す図である。
【００２３】
図２に示すように、弾球遊技機１は、遊技場に設けられる遊技島に固定するための外枠８０と、外枠８０に取り付けられたベースドア６０とを有する。外枠８０の前面の左上部及び左下部には、ヒンジ凸部８０ａが設けられている。また、ベースドア６０の前面の左上部及び左下部には、ヒンジ凹部６０ｃが設けられている。そして、ヒンジ凹部６０ｃに、ヒンジ凸部８０ａが嵌め込まれることにより、外枠８０に対して、ベースドア６０が開閉可能に取り付けられる。
【００２４】
図２に示すように、本実施形態の弾球遊技機１において、ベースドア６０の裏面には、液晶ディスプレイ部７０が取り付けられている。液晶ディスプレイ部７０は、所定の画像（例えば、演出画像など）を表示可能な表示装置である。具体的には、液晶ディスプレイ部７０には、所定の画像を表示可能な液晶部７０ａと、液晶部７０ａの周囲に配設された液晶枠７０ｂとが設けられている。
【００２５】
ベースドア６０の裏面には、液晶ディスプレイ部７０をベースドア６０の頭上側から、差し入れることが可能なレール部（図示せず）が設けられているとともに、開口部６０ｅが設けられている。
【００２６】
レール部に液晶ディスプレイ部７０が差し入れられた状態で、液晶ディスプレイ部７０は、ベースドア６０に取り付けられる。このレール部に液晶ディスプレイ部７０が差し入れられた状態においては、正面側から見て、液晶ディスプレイ部７０の液晶部７０ａは、ベースドア６０の開口部６０ｅと重なる位置（即ち、対向する位置）に配置される。
【００２７】
図２に示すように、ベースドア６０の前面の上方には、スピーカ７５を嵌め込むことが可能な開口部６０ｄが設けられており、この開口部６０ｄに、スピーカ７５が嵌め込まれる。
【００２８】
また、図２に示すように、ベースドア６０の前面には、遊技盤３０が取り付けられている。具体的には、ベースドア６０の前面の中央には、スペーサ１１０が取り付けられた遊技盤３０が着脱可能に取り付けられている。遊技盤３０は、遊技板３２と、この遊技板３２に設けられた後述する各種の遊技部材（第１遊技球誘導部材３など）とを具備する。このため、弾球遊技機１においては、液晶ディスプレイ部７０は、遊技板３２の裏面側に配設されていることになる。図２や図５に示すように、遊技板３２の４つの角部分には、孔部３１が設けられており、ベースドア６０には、４つの所定位置に、それぞれ、留め部材６１が設けられている。
【００２９】
この留め部材６１においては、板部６１ａと、留め部材６１が遊技板３２の孔部３１に嵌め込まれたときに、回転操作により遊技板３２がベースドア６０から抜けない位置又は遊技板３２がベースドア６０から抜ける位置に、板部６１ａを配置させるための回転部６１ｂとが設けられている。これにより、遊技板３２の４つの孔部３１に、ベースドア６０に設けられた４つの留め部材６１を嵌め込み、回転部６１ｂを用いた回転操作により、遊技板３２がベースドア６０から抜けない位置に、板部６１ａを配置させることができる。また、回転部６１ｂを用いた回転操作により、遊技板３２がベースドア６０から抜ける位置に、板部６１ａを配置させることができ、遊技盤３０をベースドア６０から取り出すこともできる。
【００３０】
なお、スペーサ１１０には、発光基板１３０、電飾用レンズ部材１４０、球通路部１２０が設けられている。これらについての説明は後述する。
【００３１】
遊技盤３０がベースドア６０の前面に取り付けられた状態では、遊技盤３０の遊技領域は、正面側から見て、ベースドア６０の開口部６０ｅと重なる位置に配置される。
【００３２】
遊技板３２の少なくとも一部は、液晶ディスプレイ部７０の表示領域を正面側から見て視認可能な透明な部材で形成されている。この透明部材は、無色透明のアクリル樹脂材、ボリカーボネート樹脂又はポリアリレート樹脂等の合成樹脂で形成することができる。本実施形態では、遊技板３２の全部が透明な部材で形成されているとする。但し、遊技板３２の一部が透明な部材で形成されている場合も本発明は同様に適用できる。
【００３３】
図３に示すように、遊技盤３０においては、遊技板３２上に、第１遊技球誘導部材３、第２遊技球誘導部材４、一般入賞口５，始動口６と、アウト口７、大入賞口８が配設されている。
【００３４】
第１遊技球誘導部材３及び第２遊技球誘導部材４は、遊技球の流下方向を大きく変化させるものである。第１遊技球誘導部材３は、遊技球が流下可能な遊技領域の上方に位置するように配設され、遊技板３２の面に対して直角に立設された壁体から構成される。第２遊技球誘導部材４は、当該遊技領域の下方に位置するように配設され、遊技板３２の面に対して直角に立設された壁体から構成される。
【００３５】
一般入賞口５は、当該一般入賞口５に遊技球が入球すると所定数（例えば、１５個）の遊技球（賞球）が払い出されるように構成されており、遊技球の入球により遊技者に所定の利益（賞球の払い出し）を付与するためのものである。始動口６は、当該始動口６に遊技球が入球すると大当り判定用の乱数値及び大当り図柄決定用の乱数値などが抽出されるように構成されている。アウト口７は、始動口６や大入賞口８や一般入賞口５などのいずれにも入球しなかった遊技球を受け入れる。大入賞口８は、特定領域（いわゆるＶゾーン）と一般領域とを具備し、大当り判定用の乱数値に基づく大当り判定の結果に応じ、所定の設定に従って開閉するように制御される。
【００３６】
また、図３、４に示すように、遊技板３２の各所定位置には、係止孔３０ａ（係止部）が設けられている。この係止孔３０ａは、スペーサ１１０の所定位置に設けられた係止片１１１が係止されるためのものである。
【００３７】
また、図４に示すように、遊技板３２の裏面には、誘導路ユニット部４ａが配設されている。この誘導路ユニット部４ａは、第１遊技球誘導部材３の下方に設けられた２つの孔に投入された遊技球を、第２遊技球誘導部材４の上方に設けられた３つの孔のいずれかから排出するためのものである。
【００３８】
また、遊技板３２の裏面には、裏面側から見て始動口６と重なる位置に、始動口ユニット部６ａが配設されている。この始動口ユニット部６ａには、始動口６に具備されている始動領域を遊技球が通過したことを検出する始動入賞球スイッチや、始動口６に具備されている１対の羽根を開閉するための始動口ソレノイドなどが設けられている。また、遊技板３２の裏面には、裏面側から見て大入賞口８と重なる位置に、大入賞口ユニット部８ａが配設されている。この大入賞口ユニット部８ａには、大入賞口８の扉を開閉する大入賞口ソレノイドや、大入賞口８に具備されている特定領域や一般領域を通過した遊技球の数を計数するためのスイッチなどが設けられている。
【００３９】
また、図２に示すように、ベースドア６０の前面の左上部及び左下部には、ヒンジ凹部６０ｆ（凹みの様子は図示せず）が設けられており、前面の左中部には、ヒンジ凸部６０ｇ（凸の様子は図示せず）が設けられている。また、ガラス枠１０の裏面の左上部には、ヒンジ凸部（図示せず）が設けられており、裏面の左下部には、ヒンジ凹部（図示せず）が設けられている。そして、ベースドア６０の前面の左上部に設けられたヒンジ凹部６０ｆに、ガラス枠１０に設けられたヒンジ凸部が嵌め込まれるとともに、ヒンジ凸部６０ｇが、ガラス枠１０に設けられたヒンジ凹部に嵌め込まれることにより、ベースドア７０に対して、ガラス枠１０が開閉可能に取り付けられる。なお、ベースドア６０の前面の左下部に設けられたヒンジ凹部６０ｆに、皿部２０の裏面に設けられたヒンジ凸部（図示せず）が嵌め込まれることにより、ベースドア６０に対して、皿部２０が開閉可能に取り付けられる。このガラス枠１０には、遊技盤３０の前面を覆うための前面ガラス１１がはめ込まれている。  
また、図２に示すように、ベースドア６０の前面の下方には、皿部２０が取り付けられている。この皿部２０は、賞球などにより払い出された遊技球などを貯留するための上皿と、アウト口７に受け入れられた遊技球などを貯留するための下皿などで構成される。
【００４０】
ベースドア６０の前面に取り付けられた皿部２０の右側には、発射ハンドル４０が取り付けられている。具体的には、この発射ハンドル４０に設けられた係止片（図示せず）が、ベースドア６０の右下方に設けられた係止穴に、係止されることにより、発射ハンドル４０がベースドア６０に取り付けられる。なお、ベースドア６０の下方の右側には、発射ハンドルに設けられたハーネス（ボリュームスイッチと発射装置とを接続するためのハーネス、図示せず）を差し通すための貫通孔が設けられている。
【００４１】
ベースドア６０の裏面の左側（正面側から見て左側）には、図示しないヒンジ機構を介して、第１ユニット部９０が開閉可能に取り付けられている。この第１ユニット部９０には、遊技球を貯留するための球タンク、貸球又は賞球用の遊技球の払い出しを行う払出装置、貸球や賞球などの遊技球の通路である遊技球通路などが設けられている。
【００４２】
また、図２に示すように、ベースドア６０の裏面の右側（正面側から見て右側）には、第２ユニット部１００が取り付けられている。この第２ユニット部１００には、液晶ディスプレイ部７０に表示する図柄の表示制御を行う図柄制御基板、遊技盤３０の前面などに配設された各種ランプの点灯、点滅制御などを行うランプ制御基板、大当たり判定といった遊技処理全般を制御する主制御基板、貸球、賞球の払い出しに関する制御を行う払出基板、各基板の動作に必要な電源を供給する電源基板などが設けられている。
【００４３】
このように構成された遊技機においては、図５に示すように、液晶ディスプレイ部７０をベースドア６０に取り付けたままの状態で、作業者等は、ベースドア６０に対して、ガラス枠１０を開放させた状態で、回転部６１ｂを用いた回転操作により、遊技板３２がベースドア６０から抜ける位置に、板部６１ａを配置させることができ、遊技盤３０をベースドア６０から取り出すことができる。
【００４４】
図６は、遊技板３２と液晶ディスプレイ部７０の間にスペーサ１１０が設けられている様子を示す斜視図であり、図７は、遊技板３２と液晶ディスプレイ部７０の間にスペーサが設けられている様子を弾球遊技機１の側面から見た場合を示す側面図である。図８は、遊技板３２の裏面に、発光基板１３０、球通路部１２０が取り付けられているスペーサ１１０が設けられている様子を示す図である。図９は、上記弾球遊技機１を構成する遊技盤３０と、スペーサ１１０と、球通路部１２０と、発光基板１３０と、液晶ディスプレイ部７０とに分解した様子を示す分解説明図である。図１０は、上記スペーサ１１０を正面側からみた外観図である。
【００４５】
図６，図７に示すように、本実施形態の弾球遊技機１においては、遊技板３２と液晶ディスプレイ部７０との間には、スペーサ１１０が設けられている。先ず、スペーサ１１０の構成の説明を行う。
【００４６】
スペーサ１１０は、遊技板３２に対して、着脱可能に構成されている。具体的には、図９に示すように、スペーサ１１０の前面の各所定位置には、遊技板３２に設けられた係止孔３０ａに着脱可能に係止させるための係止片１１１が設けられている。そして、図９に示すように、スペーサ１１０に設けられた各係止片１１１の位置と、遊技板３２に設けられた各係止孔３０ａの位置とがそれぞれ合わせられて、各係止片１１１は、それぞれ、各係止孔３０ａに対して、取り外し可能に係合される。これにより、各係止片１１１は、各係止孔３０ａに着脱可能に係止される。
【００４７】
図１０に示すように、スペーサ１１０には、正面側から見て液晶部７０ａを視認可能とするための貫通孔１１０ｃが設けられている。
【００４８】
また、スペーサ１１０には、球通路部１２０と連通し、一般入賞口５に入球された遊技球を受け入れるための球受け入れ孔１１２が正面側から見て一般入賞口５と重なる位置に設けられている（図１０参照）。具体的には、スペーサ１１０が遊技板３２に取り付けられるとともに、スペーサ１１０に球通路部１２０が取り付けられた状態で、球受け入れ孔１１２は、スペーサ１１０において、正面側から見て遊技板３２に配設された一般入賞口５と重なる位置であるとともに、球通路部１２０の通路部１２１の上端部１２１ａと重なる位置に配設されている。
【００４９】
また、スペーサ１１０の裏面には、発光基板１３０を取り付けるためのネジ挿入用の突出部１１５が配設されている（後述の図１３参照）。
【００５０】
スペーサ１１０には、図１０に示すように、電飾用レンズ部材１４０が嵌め込まれるための凹部１１４が設けられている。この凹部１１４には、複数の開口部１１３が設けられている。これらの開口部１１３は、スペーサ１１０において、発光基板１３０がスペーサ１１０の裏面における所定位置に取り付けられたときに、正面側から見て各発光部材１３１と重なる位置に、設けられている。これにより、発光基板１３０がスペーサ１１０の裏面における所定位置に取り付けられたときには、発光部材１３１は、開口部１１３と臨む位置に配置されるので、遊技者は、開口部１１３を通して、発光部材１３１からの光を視認できる。この結果、スペーサ１１０には、発光部材１３１が、発光部材１３１からの光を遊技者が視認可能な位置に、設けられていることになる。
【００５１】
また、各凹部１１４には、複数の第１の係止孔１１０ａと、複数の第２の係止孔１１０ｂとが設けられている。第１の係止孔１１０ａは、後述する電飾用レンズ部材１４０の所定位置に設けられた係止片１４０ａを係止させるためのものであり、第２の係止孔１１０ｂは、後述する電飾用レンズ部材１４０の所定位置に設けられた係止片１４０ｂを係止させるためのものである。
【００５２】
図１１は、弾球遊技機１において、スペーサ１１０と、液晶ディスプレイ部７０との間の配置関係を示す図である。図１１に示すように、弾球遊技機１において、スペーサ１１０は、正面側から見て液晶ディスプレイ部７０の周縁部と重なる位置に設けられている。具体的には、ベースドア６０の前面に対して、スペーサ１１０が裏面側に取り付けられた遊技盤３０が取り付けられている。そして、液晶ディスプレイ部７０は、ベースドア６０の裏面に対して、正面側から見て液晶枠７０ｂがスペーサ１１０に隠れる位置に、取り付けられている。
【００５３】
次に、スペーサ１１０の裏面の所定位置に設けられ、遊技球の通路である球通路部１２０の構成の説明を行う。
【００５４】
図１２は、正面側から見た場合の球通路部１２０の構成を示す外観図である。また、図１３は、球通路部１２０と、発光基板１３０とがスペーサ１１０にどのように取り付けられているかを説明するための外観図である。
【００５５】
図１２に示すように、球通路部１２０には、スペーサ１１０の各所定位置に設けられた係止片１１７が着脱可能に係止されるための係止孔１２３が設けられている。また、球通路部１２０には、球受け入れ孔１１２から送られてきた遊技球を通過させるための通路部１２１が設けられている。この通路部１２１においては、球通路部１２０がスペーサ１１０に取り付けられた状態で、球受け入れ孔１１２と対向する位置に、上端部１２１ａが配置されている。また、通路部１２１においては、下端部１２１ｂには、下向きの開口が設けられている。また、通路部１２１においては、正面側から見て、通路部１２１の前面側には、開口が形成されており、裏面側には、蓋が一体成形されている。このため、スペーサ１１０に球通路部１２０が取り付けられた状態では、通路部１２１においては、通路部１２１の蓋とスペーサ１１０とに挟まれた空間が形成され、遊技球がこの空間を通過する。
【００５６】
このように構成された通路部において、スペーサ１１０に球通路部１２０が取り付けられた状態では、球受け入れ孔１１２を介して、一般入賞口５から送られてきた遊技球が上端部１２１ａに送られ、遊技球が通路部１２１を通過し、下端部１２１ｃの開口から弾球遊技機１の外部に排出される。  
また、図１３に示すように、球通路部１２０には、遊技球の通過を検出するための遊技球検出スイッチ１２５を差込こむための差込み孔１２２が設けられている。遊技球検出スイッチ１２５には、遊技球を通過させるための通過孔１２５ａが設けられている。遊技球検出スイッチ１２５は、差込み孔１２２に対して、通路部１２１を通過する遊技球が通過孔１２５ａを通過できる位置に、差し込まれている。このようにして、球通路部１２０には、遊技球の通過を検出するための遊技球検出スイッチ１２５が設けられている。
【００５７】
この遊技球検出スイッチ１２５が差込み孔１２２に差し込まれた状態においては、通路部１２１を通過する遊技球が通過孔１２５ａを通過すると、遊技球検出スイッチ１２５は遊技球の通過を検出し、図示しないハーネスなどを介して、検出信号を主制御基板に送る。
【００５８】
そして、球通路部１２０は、スペーサ１１０の裏面の下方に、着脱可能に構成されている。具体的には、図１３に示すように、スペーサ１１０の各所定位置には、球通路部１２０に設けられた係止孔１２３に着脱可能に係止させるための係止片１１７が設けられている。そして、図１３に示すように、スペーサ１１０に設けられた各係止片１１７の位置と、球通路部１２０に設けられた各係止孔１２３の位置とがそれぞれ合わせられて、各係止片１１７は、それぞれ、各係止孔１２３に取り外し可能に係合される。これにより、各係止片１１７は、各係止孔１２３に着脱可能に係止される。
【００５９】
このようにして構成された球通路部１２０がスペーサ１１０の裏面に取り付けられることにより、弾球遊技機１において、正面側から見て、球通路部１２０は、スペーサ１１０の裏面に配置されることになる。このため、遊技者は、透明な遊技板３２で構成される遊技盤３０を介して、球通路部１２０を視認してしまうことがない。
【００６０】
次に、スペーサ１１０の裏面に取り付けられている発光基板１３０の構成の説明を行う。発光基板１３０は、スペーサ１１０の裏面に、ネジなどにより取り付けられる。この発光基板１３０には、複数の発光部材１３１（例えば、ＬＥＤ）と、スペーサ１１０に対して当該発光基板１３０を取り付けるためのねじ挿入用の開口部１３２とが配設されている。そして、図１３に示すように、発光基板１３０に設けられた開口部１３２の位置と、スペーサ１１０に設けられた突出部１１５の位置とが合わせられて、発光基板１３０の裏面側から、ネジなどが突出部１１５及び開口部１３２に挿入されて、スペーサ１１０に対して当該発光基板１３０が固定される。
【００６１】
次に、スペーサ１１０の前面に取り付けられている電飾用レンズ部材１４０の構成の説明を行う。電飾用レンズ部材１４０は、複数の発光部材１３１からの光を拡散するものである。この電飾用レンズ部材１４０は、スペーサ１１０の前面（発光部材１３１の前面側）に対して、正面側から見て上記複数の発光部材１３１と重なる位置に、配設されている。
【００６２】
具体的には、スペーサ１１０の前面の凹部１１４には、電飾用レンズ部材１４０が嵌め込まれる。上記凹部１１４に、電飾用レンズ部材１４０が嵌め込まれた状態で、正面側から見て、電飾用レンズ部材１４０は、凹部１１４に配設された開口部１１３を覆っている。スペーサ１１０の裏面に、発光基板１３０が取り付けられた状態では、正面側から見て、各発光部材１３１の位置が、各開口部１１３に臨む位置となっているので、電飾用レンズ部材１４０は、スペーサ１１０の前面側から、正面側から見て複数の発光部材１３１と重なる位置に取り付けられていることになる。
【００６３】
図１４は、電飾用レンズ部材１４０がスペーサ１１０にどのように取り付けられているかを説明するための外観図である。
【００６４】
上述したように、スペーサ１１０の所定位置には、係止孔（第１の係止孔１１０ａ，第２の係止孔１１０ｂ）が設けられており、電飾用レンズ部材１４０の所定位置には、係止孔（第１の係止孔１１０ａ，第２の係止孔１１０ｂ）に係止させるための係止片（第１の係止片１４０ａ，第２の係止片１４０ｂ）が設けられている。
【００６５】
具体的には、電飾用レンズ部材１４０には、電飾用レンズ部材１４０が凹部１１４に嵌め込まれたときに、スペーサ１１０に設けられた第１の係止孔１１０ａ（及び第２の係止孔１１０ｂ）と対向する位置に、第１の係止片１４０ａ（及び第２の係止片１４０ｂ）が配設されている。
【００６６】
そして、図１４に示すように、スペーサ１１０に設けられた第１の係止孔１１０ａの位置と、電飾用レンズ部材１４０に設けられた第１の係止片１４０ａの位置とがそれぞれ合わせられて、各第１の係止片１４０ａは、それぞれ、各第１の係止孔１１０ａに取り外し可能に係合されることにより、各第１の係止片１４０ａは各第１の係止孔１１０ａに着脱可能に係止される。第２の係止片１４０ｂも同様にして、第２の係止孔１１０ｂに着脱可能に係止される。
【００６７】
このようにして構成された電飾用レンズ部材１４０がスペーサ１１０の前面に取り付けられ、発光基板１３０がスペーサ１１０の裏面に取り付けられることにより、弾球遊技機１において、正面側から見て、発光部材１３１や電飾用レンズ部材１４０は、液晶部７０ａと重ならなくなる。
【００６８】
（作用効果）
このような本実施形態の弾球遊技機１によれば、遊技板３２と液晶ディスプレイ部７０との間に、スペーサ１１０が設けられているので、遊技板３２と、液晶ディスプレイ部７０との間の間隔を所定距離に保つことができる。このため、液晶ディスプレイ部７０の動作に伴って発生する熱が多量に遊技板３２に設置された各種部品（例えば、弾球遊技機１の動作に関係する部品など）などに伝わってしまう事態が防止されるので、液晶ディスプレイ部７０から発生する熱による弾球遊技機１の故障を防止することができる。
【００６９】
この結果、本実施形態の弾球遊技機１によれば、少なくとも一部が透明な部材で形成された遊技板３２の裏面側に、液晶ディスプレイ部７０を配置することにより、遊技の興趣を向上させるとともに、液晶ディスプレイ部７０から発生する熱による弾球遊技機１の故障を防止することができる。
【００７０】
また、遊技板３２と、液晶ディスプレイ部７０との間隔が存在するので、遊技者には、液晶ディスプレイ部７０の表示が遊技盤３０（又は遊技板３２）に対して奥行きがあるように感じられ、演出効果の向上が図られる。また、遊技者は、液晶ディスプレイ部７０の表示に対して、遊技盤３０の遊技領域に投入された遊技球が宙に浮いているように感じ、視覚的演出効果の向上が期待できる。
【００７１】
遊技板３２と液晶ディスプレイ部７０との間隔が存在しないと、例えば、遊技者は、発射レールより外側に位置する表示領域を視認できなかったが、本実施形態では、遊技板３２と液晶ディスプレイ部７０との間隔が所定距離にされるので、遊技者は、従来視認できなかった表示領域を視認でき、演出効果の向上が一層図られる。
【００７２】
また、本実施形態の弾球遊技機１によれば、スペーサ１１０には、電飾用の発光部材１３１が、当該発光部材１３１からの光を遊技者が視認可能な位置に、設けられている。このため、正面側から見て、発光部材１３１は、液晶ディスプレイ部７０の液晶部７０ａと重なる位置に設けられていないので、遊技板３２が透明な部材で形成されても、遊技者が、発光部材１３１の存在により演出効果を向上しつつ、液晶ディスプレイ部７０の表示を視認しにくくなる事態が回避される。
【００７３】
また、発光部材１３１に取り付けられる配線が視認できてしまうと、遊技者は、弾球遊技機１の外観を美しくないと感じるようになる。本実施形態では、発光部材１３１に取り付けられる配線をスペーサ１１０内に設けることが可能になるので、遊技板３２が透明な部材で形成されても、遊技者が、上記遊技板３２で構成された遊技盤３０を介して、発光部材１３１に取り付けられる配線を視認できてしまう事態が回避される。
【００７４】
また、発光部材１３１は、遊技盤３０から独立して設けられるので、遊技盤３０を交換する際に、発光部材１３１と独立して、遊技盤３０だけを交換することができる。このため、遊技盤３０を交換する際に、正常な発光部材１３１を交換する必要がないので、遊技盤３０だけの交換に必要なコストを低減させることができる。また、本実施形態では、発光部材１３１に取り付けられる配線をスペーサ１１０内に設けることが可能になるので、遊技盤３０の交換の際に、上記配線に関する配置作業などのような面倒な作業を行わなくて済むので、作業コストや作業時間の低減化が図れる。
【００７５】
また、発光部材１３１の形状が特定できてしまうと、遊技者は、弾球遊技機１の外観を美しくないと感じるようになる。本実施形態の弾球遊技機１によれば、スペーサ１１０には、発光部材１３１の前面側であって、正面側から見て発光部材１３１と重なる位置に、発光部材１３１からの光を拡散する電飾用レンズ部材１４０が配設されている。このため、遊技板３２が透明な部材で形成されても、遊技者が、遊技板３２で構成された遊技盤３０を介して、発光部材の形状を特定することができないので、遊技者は、弾球遊技機１の外観を美しいと感じるようになり、弾球遊技機１の外観における美観を向上させることが可能となる。
【００７６】
また、本実施形態の弾球遊技機１には、複数の発光部材１３１が配設された発光基板１３０が設けられ、スペーサ１１０には、発光基板１３０がスペーサ１１０の裏面における所定位置に取り付けられたときに、正面側から見て各発光部材１３１と重なる位置に、開口部１３１が設けられており、電飾レンズ部材１４０は、スペーサ１１０の前面側から、正面側から見て複数の発光部材１３１と重なる位置に取り付けられる。このため、発光部材１３１の交換の場合には、発光基板１３０をスペーサ１１０の裏面から取り外せばよいので、発光部材１３１の交換が容易になる。また、発光部材１３１の交換の場合には、発光基板１３０だけをスペーサ１１０の裏面から取り外すことができ、電飾用レンズ部材１４０の交換の場合には、電飾用レンズ部材１４０だけをスペーサ１１０の前面から取り外すことができるので、発光部材１３１又は電飾用レンズ部材１４０の交換の場合に、発光基板１３０及び電飾用レンズ部材１４０をスペーサ１１０から取り外す必要がないので、発光部材１３１や電飾用レンズ部材１４０の交換が容易に行え、上記交換に必要なコストや時間を低減させることができる。
【００７７】
また、本実施形態の弾球遊技機１によれば、スペーサ１１０の所定位置には、係止孔１１０ａ，１１０ｂが設けられており、電飾レンズ部材１４０の所定位置には、上記係止孔に係止させるための係止片１４０ａ，１４０ｂが設けられている。このため、電飾用レンズ部材１４０をスペーサ１１０に取り付けるための取り付け部品（例えば、ネジなど）が不要であり、弾球遊技機１の製造に要するコストの低減化が可能である。
【００７８】
（変更例）
（１）上述した実施形態では、遊技板３２と液晶ディスプレイ部７０との間において、スペーサ１１０は、正面側から見て、液晶ディスプレイ部７０の周縁部（例えば、液晶枠７０ｂ）と重なる位置に、設けられていたが、これに限定されず、スペーサ１１０は、正面側から見て、液晶ディスプレイ部７０の周縁部（例えば、液晶枠７０ｂ）と重ならない位置に、設けられていてもよい。また、スペーサ１１０は、正面側から見て、液晶ディスプレイ部７０の周縁部の一部と重なる位置（例えば、液晶ディスプレイ部の液晶枠７０ｂの４角部分と重なる位置）に、設けられていてもよい。
【００７９】
また、スペーサ１１０は、上述した実施形態の構成に限定されず、遊技板３２と液晶ディスプレイ部７０との間隔を所定距離に保つためのものであれば、どのような構成であってもよい。
【００８０】
また、上述の実施形態では、遊技板３２にスペーサ１１０が取り付けられた後、遊技板３２が、ベースドア６０に、取り付けられるようにしていたが、以下のようにしてもよい。即ち、ベースドア６０には、スペーサ１１０が取り付けられている。そして、ベースドア６０との間で、スペーサ１１０を挟み込むように、遊技板３２がベースドア６０に直接取り付けられるようにしてもよい。
【００８１】
また、上述の実施形態では、遊技板３２に設けられた係止孔３０ａに、スペーサ１１０の係止片１１１が係止されることにより、スペーサ１１０は、遊技板３２に着脱可能に取り付けられたが、これに限定されず、以下のようにしてもよい。即ち、遊技板３２に対して、スペーサ１１０は、ビス留めにより固定されてもよい。
【００８２】
また、上述の実施形態では、液晶ディスプレイ部７０は、ベースドア６０に取り付けられるようにしていたが、液晶ディスプレイ部７０は、スペーサ１１０に取り付けられるようにしてもよい。そして、液晶ディスプレイ部７０が取り付けられたスペーサ１１０が、遊技板３２に取り付けられるようにしてもよい。
【００８３】
（２）また、スペーサ１１０には、遊技板３２にスペーサ１１０に取り付けられた状態で、正面側から見て一般入賞口５の位置と重ならない位置に、球受け入れ孔１１２が配設されてもよい。そして、遊技板３２の裏面に、球受け入れ孔１１２と、通路部１２１の上端１２１ａとを連通するための連通路が設けられても良い。
【００８４】
また、遊技球検出スイッチ１２５は、球通路部１２０に設けられていたが、一般入賞口５内に設けられるようにしてもよい。
【００８５】
また、一般入賞口５に限らず、始動口６，大入賞口８も遊技球の入球により遊技者に所定の利益（賞球の払い出しなど）を付与するためのものである。そして、遊技板３２にスペーサ１１０に取り付けられた状態で、スペーサ１１０において、球受け入れ孔１１２は、一般入賞口５と対向する位置に限らず、始動口６，大入賞口８、アウト口７と対向する位置に設けられても良い。そして、始動口６，大入賞口８、アウト口７に入球した遊技球が通路部１２１を通過するようにしてもよい。
【００８６】
また、通路部１２１の上端１２１ａは、賞球タンクと接続され、通路部１２１の下端１２１ｂは、上皿に接続されるようにしてもよい。そして、賞球タンクからの遊技球が通路部１２１を介して、上皿に送られるようにしてもよい。
【００８７】
また、球通路部１２０の形状や、通路部１２１の形状は、図１２に示す形状（湾曲状の形状）に限定されず、球受け入れ孔１１２から送られてきた遊技球を通過させることができるものであれば、どのような形状であってもよい。
【００８８】
（３）また、上述の実施形態では、発光部材１３１は、例えば、ＬＥＤにより構成されるとしたが、これに限定されず、例えば、ランプなどで構成されてもよい。
【００８９】
また、上述した実施形態において、スペーサ１１０に開口部１１３を設けず、発光基板１３０は、スペーサ１１０の前面に取り付けられるようにしてもよい。そして、スペーサ１１０の前面に発光基板１３０が取り付けられた状態で、正面側から見て、発光基板１３０に配設された複数の発光部材１３１と重なる位置に、電飾用レンズ部材１４０がスペーサ１１０に対して、取り付けられるようにしてもよい。
【００９０】
また、上述の実施形態では、発光基板１３０がスペーサ１１０に取り付けられていたが、各発光部材１３１は、スペーサ１１０に設けられた開口部１３２の位置に、直接取り付けられているようにしてもよい。
【００９１】
また、電飾用レンズ部材１４０の係止片１４０ａ，１４０ｂが、スペーサ１１０の係止孔１１０ａ，１１０ｂに係止されることにより、電飾用レンズ部材１４０は、スペーサ１１０に着脱可能に取り付けられたが、これに限定されず、以下のようにしてもよい。即ち、電飾用レンズ部材１４０は、スペーサ１１０に対して、ネジにより固定されてもよい。
【００９２】
また、上述した実施形態では、スペーサ１１０に対して、発光基板１３０、電飾用レンズ部材１４０、球通路部１２０が取り付けられるようにしたが、スペーサ１１０と発光基板１３０と電飾用レンズ部材１４０と球通路部１２０は一体成形されていてもよい。
【図面の簡単な説明】
【００９３】
【図１】本実施形態における弾球式遊技機の外観を示す図である。
【図２】本実施形態における弾球式遊技機の各部を分解した様子を示す分解図である。
【図３】本実施形態における遊技盤の正面図である。
【図４】本実施形態における遊技盤の裏面図である。
【図５】本実施形態において、液晶ディスプレイ部がベースドアに取り付けられた状態を示す図である。
【図６】本実施の形態において、遊技盤と液晶ディスプレイ部の間にスペーサが挟み込まれている様子を示す斜視図である。
【図７】本実施の形態において、遊技盤と液晶ディスプレイ部の間にスペーサが挟み込まれている様子を示す側面図である。
【図８】本実施の形態において、遊技盤の裏面に、発光基板などが取り付けられているスペーサが設けられている様子を示す図である。
【図９】本実施の形態において、弾球遊技機を構成する遊技盤と、スペーサと、球通路部と、発光基板と、液晶ディスプレイ部とに分解した様子を示す分解説明図である。
【図１０】本実施の形態において、スペーサを正面側からみた外観図である。
【図１１】本実施の形態の弾球遊技機において、スペーサと、液晶ディスプレイ部との間の配置関係を示す図である。
【図１２】本実施の形態の球通路部１２０を正面から見た構成を示す図である。
【図１３】本実施の形態において、球通路部と、発光基板とがスペーサにどのように取り付けられているかを説明するための外観図である。
【図１４】本実施の形態において、電飾用レンズ部材がスペーサにどのように取り付けられているかを説明するための外観図である。
【符号の説明】
【００９４】
１…弾球遊技機、３…第１遊技球誘導部材、４…第２遊技球誘導部材、４ａ…誘導路ユニット部、５…一般入賞口、６…始動口、６ａ…始動口ユニット部、７…アウト口、８…大入賞口、８ａ…大入賞口ユニット部、１０…ガラス枠、１１…前面ガラス、２０…皿部、３０…遊技盤、３０ａ…係止孔、３１…孔部、３２…遊技板、４０…発射ハンドル、６０…ベースドア、６０ｃ、６０ｆ…ヒンジ凹部、６０ｄ…開口部、６０ｅ…開口部、６０ｇ、８０ａ…ヒンジ凸部、６１…留め部材、６１ａ…板部、６１ｂ…回転部、７０…液晶ディスプレイ部、７０ａ…液晶部、７０ｂ…液晶枠、７５…スピーカ、８０…外枠、９０…第１ユニット部、１００…第２ユニット部、１１０…スペーサ、１１０ａ…第１の係止孔、１１０ｂ…第２の係止孔、１１０ｃ…貫通孔、１１１…係止片、１１２…球受け入れ孔、１１３…開口部、１１４…凹部、１１５…突出部、１１７…係止片、１２０…球通路部、１２１…通路部  １２２…差込み孔、１２３…係止孔、１２５…遊技球検出スイッチ、１２５ａ…通過孔、１３０…発光基板、１３１…発光部材、１３２…開口部、１４０…電飾用レンズ部材、１４０ａ…第１の係止片、１４０ｂ…第２の係止片。
【図１】
2005131322.tif 000003
【図２】
2005131322.tif 000004
【図３】
2005131322.tif 000005
【図４】
2005131322.tif 000006
【図５】
2005131322.tif 000007
【図６】
2005131322.tif 000008
【図７】
2005131322.tif 000009
【図８】
2005131322.tif 000010
【図９】
2005131322.tif 000011
【図１０】
2005131322.tif 000012
【図１１】
2005131322.tif 000013
【図１２】
2005131322.tif 000014
【図１３】
2005131322.tif 000015
【図１４】
2005131322.tif 000016